(57)【要約】【課題】燃料や燃料の不完全燃焼により発生する臭い、その他の室内の臭いを除去でき、また室内のウイルス等を不活化できるファンヒータを提供する。【解決手段】一端に温風吹出口４を有すると共に他端に外気吸込口３を有する通気路９を備える。通気路９に燃料燃焼部１２で発生した燃焼ガスを温風吹出口４から吹き出すファン１０を設ける。放電電極１６に高電圧を印加することで放電電極１６の放電部１６ｂに保持される水を静電霧化して帯電微粒子水を生成する静電霧化装置１４を備える。静電霧化装置１４で生成した帯電微粒子水を通気路９に供給する供給手段１５を備える。【選択図】図１
2008185320.tif 000002
【特許請求の範囲】
【請求項１】
一端に温風吹出口を有すると共に他端に外気吸込口を有する通気路を備え、通気路に燃料燃焼部で発生した燃焼ガスを温風吹出口から吹き出すファンを設けたファンヒータにおいて、放電電極に高電圧を印加することで放電電極の放電部に保持される水を静電霧化して帯電微粒子水を生成する静電霧化装置と、該静電霧化装置で生成した帯電微粒子水を通気路に供給する供給手段を備えて成ることを特徴とするファンヒータ。
【請求項２】
通気路はファンよりも下流側で主流路とバイパス路に分岐し、主流路に前記燃料燃焼部で発生した燃焼ガスを供給すると共に該主流路の燃焼ガスが供給される部分よりも下流側にバイパス路の下流端を接続し、該バイパス路に静電霧化装置の放電電極の放電部を配設して成ることを特徴とする請求項１に記載のファンヒータ。
【請求項３】
一端に温風吹出口を有すると共に他端に外気吸込口を有する通気路を備え、通気路に燃料燃焼部で発生した燃焼ガスを温風吹出口から吹き出すファンを設けたファンヒータにおいて、放電電極に高電圧を印加することで放電電極に保持される水を静電霧化して帯電微粒子水を生成する静電霧化装置と、該静電霧化装置で生成した帯電微粒子水をファンヒータの外部に供給する供給手段を備えて成ることを特徴とするファンヒータ。
【請求項４】
一端に温風吹出口を有すると共に他端に外気吸込口を有する通気路を備え、通気路に燃料燃焼部で発生した燃焼ガスを温風吹出口から吹き出すファンを設けたファンヒータにおいて、放電電極に高電圧を印加することで放電電極に保持される水を静電霧化して帯電微粒子水を生成する静電霧化装置を備え、該静電霧化装置で生成した帯電微粒子水を通気路に供給するための通気路側供給口とファンヒータの外部に供給するための外部側供給口を備え、燃料燃焼部による燃料燃焼時には静電霧化装置で発生させた帯電微粒子水を外部側供給口を介してファンヒータの外部に供給すると共に、燃料燃焼部の非燃焼時には静電霧化装置で発生させた帯電微粒子水を通気路側供給口を介して通気路に供給する供給手段を設けて成ることを特徴とするファンヒータ。
【請求項５】
少なくとも前記燃料燃焼部による燃料燃焼の終了から所定時間が経過するまでの間、静電霧化装置による帯電微粒子水の生成及び該生成した帯電微粒子水の前記供給手段による供給を行う制御部を設けて成ることを特徴とする請求項１乃至請求項４のいずれか１項に記載のファンヒータ。
【請求項６】
少なくとも前記燃料燃焼部による燃料燃焼時及び燃料燃焼の終了から所定時間が経過するまでの間、静電霧化装置による帯電微粒子水の生成及び該生成した帯電微粒子水の前記供給手段による供給を行い、前記燃料燃焼部の燃料燃焼の終了から所定時間が経過するまでの間における静電霧化装置の単位時間当たりの霧化量を燃料燃焼部による燃料燃焼時よりも増加させる制御部を設けて成ることを特徴とする請求項５に記載のファンヒータ。
【請求項７】
燃料燃焼部による燃料燃焼の開始よりも所定時間前に静電霧化装置による帯電微粒子水の生成及び該生成した帯電微粒子水の前記供給手段による供給を開始する制御部を設けて成ることを特徴とする請求項１乃至請求項６のいずれか１項に記載のファンヒータ。
【請求項８】
ファンヒータの外部の湿度を検知するための湿度検知手段を備え、該湿度検知手段で検知した湿度に基づいて静電霧化装置の動作時における単位時間当たりの霧化量を調節する制御部を設けて成ることを特徴とする請求項１乃至７のいずれか１項に記載のファンヒータ。
【請求項９】
前記ファンによる単位時間当たりの送風量を可変とし、静電霧化装置の動作時における単位時間当たりの霧化量をファンの単位時間当たりの送風量に基づいて調節する制御部を設けて成ることを特徴とする請求項１乃至７のいずれか１項に記載のファンヒータ。
【発明の詳細な説明】
【技術分野】
【０００１】
本発明は燃料を燃焼するための燃料燃焼部を備えたファンヒータに関する。
【背景技術】
【０００２】
従来、石油ファンヒータやガスファンヒータ等のファンヒータが暖房装置として利用されている。一般的なファンヒータは例えば特許文献１のように一端に外気吸込口を設けると共に他端に温風吹出口を設けた通気路を備え、通気路に燃料燃焼部及び該燃料燃焼部で発生した燃焼ガスを温風吹出口から吹き出すファンを設けている。
【０００３】
ところでこの種のファンヒータは燃料燃焼部で燃料を燃焼するものであるので、燃料や、燃料燃焼の開始時（点火時）や燃料燃焼の終了直後に生じる不完全燃焼により発生する臭いが室内に居る使用者にとっては不快となる。また室内には前記ファンヒータが発する臭いの他にも、体臭や、食品、料理、タバコなどの生活臭、カーテンやソファに染み付いた付着臭等の臭いも存在し、さらに冬場の低湿環境での活動が活発になるインフルエンザなどのウイルス、花粉、ノミやダニの屍骸等のアレルゲン、カビや一般生菌等も存在し、これらも室内環境を悪化させる要因となる。
【０００４】
ここで特許文献１に示すファンヒータにはマイナスイオン発生装置を設けてあり、マイナスイオン発生装置で発生させたマイナスイオンにより室内に居る人にリラックス効果を与えるようになっているが、上記室内環境を改善できるものではい。
【特許文献１】特開２００５−６１６７２号公報
【発明の開示】
【発明が解決しようとする課題】
【０００５】
本発明は上記従来の問題点に鑑みて発明したものであって、不完全燃焼により発生する臭いや、燃料自体から発する臭い、その他室内の臭いを除去でき、また室内のウイルス等を不活化できるファンヒータを提供することを課題とするものである。
【課題を解決するための手段】
【０００６】
上記課題を解決するために本発明の請求項１に記載のファンヒータは、一端に温風吹出口４を有すると共に他端に外気吸込口３を有する通気路９を備え、通気路９に燃料燃焼部１２で発生した燃焼ガスを温風吹出口４から吹き出すファン１０を設けたファンヒータにおいて、放電電極１６に高電圧を印加することで放電電極１６の放電部１６ｂに保持される水を静電霧化して帯電微粒子水を生成する静電霧化装置１４と、該静電霧化装置１４で生成した帯電微粒子水を通気路９に供給する供給手段１５を備えて成ることを特徴とする。上記静電霧化装置１４及び供給手段１５を備えることで、静電霧化装置１４で生成した脱臭効果や除菌効果の高い帯電微粒子水をファンヒータの暖房運転時や暖房運転の前後に通気路９に供給することができ、またこの帯電微粒子水をファン１０による送風に乗せて室内に広く行き渡らせることができる。
【０００７】
また通気路９はファン１０よりも下流側で主流路４１とバイパス路４２に分岐し、主流路４１に前記燃料燃焼部１２で発生した燃焼ガスを供給すると共に該主流路４１の燃焼ガスが供給される部分よりも下流側にバイパス路４２の下流端を接続し、該バイパス路４２に静電霧化装置１４の放電電極１６の放電部１６ｂを配設することも好ましい。バイパス路４２に放電電極１６の放電部１６ｂを配設してあるので、ファンヒータの暖房運転時に静電霧化を生じさせる時には放電電極１６の放電部１６ｂの近傍に燃焼ガスが混合される前の温度の低い空気を通過させることができ、放電電極１６の放電部１６ｂに保持された水や放電部１６ｂで生じた帯電微粒子水が蒸発し難くなる。
【０００８】
また請求項３に記載のファンヒータは、一端に温風吹出口４を有すると共に他端に外気吸込口３を有する通気路９を備え、通気路９に燃料燃焼部１２で発生した燃焼ガスを温風吹出口４から吹き出すファン１０を設けたファンヒータにおいて、放電電極１６に高電圧を印加することで放電電極１６に保持される水を静電霧化して帯電微粒子水を生成する静電霧化装置１４と、該静電霧化装置１４で生成した帯電微粒子水をファンヒータの外部に供給する供給手段１５を備えて成ることを特徴とする。上記静電霧化装置１４及び供給手段１５を備えることで、静電霧化装置１４で生成した脱臭効果や除菌効果の高い帯電微粒子水をファンヒータの暖房運転時や暖房運転の前後にファンヒータの外部に供給して、室内に広く行き渡らせることができる。
【０００９】
また請求項４に記載のファンヒータは、一端に温風吹出口４を有すると共に他端に外気吸込口３を有する通気路９を備え、通気路９に燃料燃焼部１２で発生した燃焼ガスを温風吹出口４から吹き出すファン１０を設けたファンヒータにおいて、放電電極１６に高電圧を印加することで放電電極１６に保持される水を静電霧化して帯電微粒子水を生成する静電霧化装置１４を備え、該静電霧化装置１４で生成した帯電微粒子水を通気路９に供給するための通気路側供給口４５とファンヒータの外部に供給するための外部側供給口４６を備え、燃料燃焼部１２による燃料燃焼時には静電霧化装置１４で発生させた帯電微粒子水を外部側供給口４６を介してファンヒータの外部に供給すると共に、燃料燃焼部１２の非燃焼時には静電霧化装置１４で発生させた帯電微粒子水を通気路側供給口４５を介して通気路９に供給する供給手段１５を設けて成ることを特徴とする。上記静電霧化装置１４及び供給手段１５を備えているので、燃料燃焼部１２による燃料燃焼時（即ちファンヒータの暖房運転時）には静電霧化装置１４で生成した脱臭効果や除菌効果の高い帯電微粒子水を外部側供給口４６を介してファンヒータの外部に供給して室内に広く行き渡らせることができる。また燃料燃焼部１２の非燃焼時（即ちファンヒータの暖房運転の前後）には静電霧化装置１４で生じた脱臭効果や除菌効果の高い帯電微粒子水を通気路側供給口４５を介して通気路９に供給することができ、また該帯電微粒子水をファン１０により室内に広く行き渡らせることができる。
【００１０】
また少なくとも前記燃料燃焼部１２による燃料燃焼の終了から所定時間が経過するまでの間、静電霧化装置１４による帯電微粒子水の生成及び該生成した帯電微粒子水の前記供給手段１５による供給を行う制御部３９を設けることも好ましい。燃料燃焼部１２による燃料燃焼の終了後に特に発生しやすい燃料の不完全燃焼による臭いを静電霧化装置１４で生成した帯電微粒子水により除去できる。
【００１１】
また少なくとも前記燃料燃焼部１２による燃料燃焼時及び燃料燃焼の終了から所定時間が経過するまでの間、静電霧化装置１４による帯電微粒子水の生成及び該生成した帯電微粒子水の前記供給手段１５による供給を行い、前記燃料燃焼部１２の燃料燃焼の終了から所定時間が経過するまでの間における静電霧化装置１４の単位時間当たりの霧化量を燃料燃焼部１２による燃料燃焼時よりも増加させる制御部３９を設けることも好ましい。特に燃料燃焼部１２による燃料燃焼の終了後に特に発生しやすい燃料の不完全燃焼による臭いを静電霧化装置１４で生成した帯電微粒子水により効率良く除去できる。
【００１２】
また燃料燃焼部１２による燃料燃焼の開始よりも所定時間前に静電霧化装置１４による帯電微粒子水の生成及び該生成した帯電微粒子水の前記供給手段１５による供給を開始する制御部３９を設けることも好ましい。燃料燃焼部１２による燃料燃焼の開始直後に発生しやすい燃料の不完全燃焼による臭いを静電霧化装置１４で生成した帯電微粒子水により除去できる。
【００１３】
またファンヒータの外部の湿度を検知するための湿度検知手段を備え、該湿度検知手段で検知した湿度に基づいて静電霧化装置１４の動作時における単位時間当たりの霧化量を調節する制御部３９を設けることも好ましい。このように制御することで、例えば検知した室内の湿度が低くウイルスが活動しやすい場合には静電霧化装置１４の単位時間当たりの霧化量を増加させるといった制御を行い、インフルエンザや風邪などの感染を効率良く防ぐことができる。
【００１４】
また前記ファン１０による単位時間当たりの送風量を可変とし、静電霧化装置１４の動作時における単位時間当たりの霧化量をファン１０の単位時間当たりの送風量に基づいて調節する制御部３９を設けることも好ましい。このように制御することで、ファン１０の単位時間当たりの送風量が大きく室内の隅々にまで帯電微粒子水を拡散させることが可能な時に静電霧化装置１４の単位時間当たりの霧化量を増加させるといった制御を行い、静電霧化装置１４で生じた帯電微粒子水を効率良く利用できる。
【発明の効果】
【００１５】
請求項１に係る発明では、ファンヒータの暖房運転時や暖房運転の前後に静電霧化装置で生成した帯電微粒子水を通気路に供給し、該帯電微粒子水をファンにより室内に広く行き渡らせることができ、この帯電微粒子水により室内の生活臭の脱臭を行い、ウイルス、アレルゲン、カビや一般生菌等を不活化でき、また温風吹出口から室内に吹き出される空気に含まれた燃料や燃料の不完全燃焼によって生じる臭いも除去でき、またこの臭いは通気路内に供給した帯電微粒子水により発生元となる燃料燃焼部に近い位置で効果的に除去できる。
【００１６】
また請求項２に係る発明では、請求項１に係る発明の効果に加えて、暖房運転時に静電霧化を生じさせる場合、放電電極の放電部の近傍に燃焼ガスによって加熱されていない温度の低い空気を通過させることができ、放電電極の放電部に保持された水や放電部で生じた帯電微粒子水が蒸発し難くなり、静電霧化装置により帯電微粒子水を効率良く生成できる。
【００１７】
また請求項３に係る発明では、ファンヒータの暖房運転時や暖房運転の前後に静電霧化装置で生成した帯電微粒子水をファンヒータの外部に供給して室内に広く行き渡らせることができ、この帯電微粒子水により室内の生活臭の脱臭を行い、ウイルス、アレルゲン、カビや一般生菌等を不活化でき、また温風吹出口から室内に吹き出される空気に含まれた燃料や燃料の不完全燃焼によって生じる臭いを除去できる。
【００１８】
また請求項４に係る発明では、燃料燃焼部による燃料燃焼時（即ちファンヒータの暖房運転時）には静電霧化装置で生成した帯電微粒子水を外部側供給口を介してファンヒータの外部である室内に供給し、また燃料燃焼部の非燃焼時（暖房運転の前後）には静電霧化装置で生じた帯電微粒子水を通気路側供給口を介して通気路に供給し、ファンによる送風に乗せて室内に広く行き渡らせることができ、このように室内に供給された帯電微粒子水により室内の生活臭の脱臭を行い、ウイルス、アレルゲン、カビや一般生菌等を不活化でき、またこの場合、温風吹出口から室内に吹き出される空気に含まれた燃料や燃料の不完全燃焼によって生じる臭いを除去できる。また非燃焼時には通気路内に供給した帯電微粒子水により燃料や燃料の不完全燃焼によって生じる臭いを発生元となる燃料燃焼部に近い位置で効果的に除去できる。
【００１９】
また請求項５に係る発明では、請求項１乃至請求項４のいずれか１項に係る発明の効果に加えて、燃料燃焼部による燃料燃焼の終了後に特に発生しやすい不完全燃焼による臭いを静電霧化装置で生成した帯電微粒子水により除去できる。
【００２０】
また請求項６に係る発明では、請求項５に係る発明の効果に加えて、特に燃料燃焼部による燃料燃焼の終了後に特に発生しやすい不完全燃焼による臭いを静電霧化装置で生成した帯電微粒子水により効率良く除去できる。
【００２１】
また請求項７に係る発明では、請求項１乃至請求項６のいずれか１項に係る発明の効果に加えて、燃料燃焼部による燃料燃焼の開始直後に発生しやすい不完全燃焼による臭いを静電霧化装置で生成した帯電微粒子水により除去できる。
【００２２】
また請求項８に係る発明では、請求項１乃至請求項７のいずれか１項に係る発明の効果に加えて、例えば検知した室内の湿度が低くウイルスが活動しやすい場合には静電霧化装置の単位時間当たりの霧化量を増加させるといった制御を行って、インフルエンザや風邪などの感染を効率良く防ぐことができる。
【００２３】
また請求項９に係る発明では、請求項１乃至請求項７のいずれか１項に係る発明の効果に加えて、例えばファンの単位時間当たりの送風量が大きく室内の隅々にまで帯電微粒子水を拡散させることが可能な時に静電霧化装置の単位時間当たりの霧化量を増加させるといった制御を行って、静電霧化装置で生じた帯電微粒子水を効率良く利用できる。
【発明を実施するための最良の形態】
【００２４】
以下、本発明を添付図面に示す実施形態に基づいて説明する。本実施形態の一例のファンヒータは燃料燃焼部１２で燃焼する燃料として石油を用いる石油ファンヒータであって、図１に示すように外郭を室内の床上に設置される筐体１で構成している。筐体１には前後に貫通する風洞部２を形成してあり、筐体１の背面部から開口する風洞部２の一端開口で外気吸込口３を構成し、筐体１の前面部１ａから開口する風洞部２の他端開口で温風吹出口４を構成している。なお温風吹出口４には上下方向に複数並設した羽板からなるルーバ６を設けてあり、また外気吸込口３には通風可能なカバー７を設けている。
【００２５】
風洞部２の底壁部上には燃焼室として上端を閉塞した筒状の燃焼塔８を立設してあり、風洞部２内の燃焼塔８内を除く空間部分で通気路９を構成している。即ち通気路９は一端に温風吹出口４を有すると共に他端に外気吸込口３を有している。通気路９の外気吸込口３側の端部（即ち上流側端部）にはプロペラファンからなるファン１０を配設してあり、ファン１０を運転することで筐体１の外部の空気が外気吸込口３から通気路９内に吸い込まれ温風吹出口４から吹き出される。
【００２６】
燃焼塔８の下方に位置する筐体１の下部には燃焼装置として燃料を燃焼するバーナ１１を内装してあり、該バーナ１１と燃焼塔８で燃料燃焼部１２を構成している。燃焼塔８の外気吸込口３と反対側の面である前面の上端部には排気口１３を形成してあり、バーナ１１による燃焼塔８内の燃料燃焼で生じた燃焼ガスは排気口１３を介して前方の通気路９に供給される。なお燃料燃焼部１２には図示しない点火手段及び消化手段を設けてあり、燃料燃焼の開始及び終了は筐体１に内装した制御部３９（図４参照）によって制御される。
【００２７】
ここで本例のファンヒータは、静電霧化装置１４と、該静電霧化装置１４で生成した帯電微粒子水を通気路９に供給する供給手段１５を備えている。
【００２８】
図３に静電霧化装置１４の概略構成図を示す。静電霧化装置１４は放電電極１６に高電圧を印加することで放電電極１６に保持される水を静電霧化して帯電微粒子水を生成するもので、放電電極１６及び対向電極１７を備えた霧化ブロック１８と、放電電極１６に供給された水を静電霧化するために放電電極１６に高電圧を印加する高電圧印加部１９と、ペルチェ冷却制御回路２７を備えている。
【００２９】
また静電霧化装置１４は放電電極１６に水を供給する水供給手段として放電電極１６を冷却する冷却手段を備え、冷却手段により放電電極１６の表面に空気中の水分を結露させて、放電電極１６の放電部１６ｂに静電霧化に利用される結露水を供給できるようになっている。
【００３０】
冷却手段は霧化ブロック１８に設けたペルチェユニット２１で構成される。ペルチェユニット２１は、熱伝導性の高いアルミナや窒化アルミニウムからなる絶縁板２２の片面側に回路２３を形成してある一対のペルチェ回路板２４ａ、２４ｂを、互いの回路２３側が向かい合うように対向させ、多数列設してあるＢｉＴｅ系の熱電素子２５を両ペルチェ回路板２４ａ、２４ｂ間で挟持すると共に隣接する熱電素子２５同士を両側の回路２３、２３で電気的に接続してペルチェモジュール２６を構成し、ペルチェ冷却制御回路２７からペルチェ入力線２８を介して為される熱電素子２５への通電により一方のペルチェ回路板２４ａ側から他方のペルチェ回路板２４ｂ側に向けて熱が移動するように設けたものであり、ペルチェモジュール２６の一方の側が冷却側、他方の側が放熱側となる。
【００３１】
ペルチェモジュール２６の冷却側のペルチェ回路板２４ａの外側にはセラッミック、アルミナや窒化アルミニウム等からなり、高熱伝導性及び電気的絶縁性の高い冷却用絶縁板２９を接続し、また放熱側のペルチェ回路板２４ｂの外側にはアルミニウム等の金属からなる高熱伝導性の放熱板又は放熱フィンからなる放熱部３０を接続している。冷却用絶縁板２９のペルチェモジュール２６と反対側の面には放電電極１６を立設してあり、このように冷却用絶縁板２９に接続された放電電極１６はペルチェモジュール２６の冷却側のペルチェ回路板２４ａに熱的に接続される。これにより前述のペルチェ冷却制御回路２７により熱電素子２５に通電を行うことで、ペルチェ回路板２４ａを介して放電電極１６が冷却され、放電電極１６の表面に静電霧化に利用される結露水が発生することとなる。
【００３２】
上記放電電極１６は胴や胴合金等の熱伝導性の良い材料により形成してあり、ペルチェモジュール２６側の端部を除く主部１６ａは棒状に形成してある。放電電極１６の主部１６ａの先端部は球状や先端が尖った錘状の部分を備え、その最先端が放電部１６ｂとなり霧化部となる。
【００３３】
放電電極１６の主部１６ａの先端側の放電電極１６に対向する位置にはステンレス（例えばＳＵＳ３０４）などの腐食に強い材料により形成された環状の対向電極１７を配置してあり、該対向電極１７の中央の孔１７ａの中心線上に放電電極１６の放電部１６ｂが位置している。対向電極１７はペルチェモジュール２６を覆う樹脂製のハウジング３１により保持してあり、該ハウジング３１はペルチェユニット２１の放熱部３０に螺子からなる固着具３２で固着してある。そしてこのように一体化された放電電極１６、対向電極１７、ペルチェユニット２１、ハウジング３１により霧化ブロック１８は構成されている。
【００３４】
霧化ブロック１８の放電電極１６及び対向電極１７は高電圧印加部１９に夫々高圧リード線３３を介して接続され、高電圧印加部１９から放電電極１６と対向電極１７との間に高電圧が印加されるようになっている。
【００３５】
上記静電霧化装置１４で静電霧化を生じさせるには、ペルチェ冷却制御回路２７によりペルチェユニット２１の熱電素子２５に通電した状態で高電圧印加部１９により放電電極１６と対向電極１７に高電圧を印加する。これにより放電電極１６の放電部と対向電極１７との間で電界が形成されると共に放電電極１６の先端に電界が集中し、放電電極１６の先端の電荷が高密度となり、電荷の反発力で放電電極１６の放電部の表面に保持された水が弾けて分裂・飛散（レーリー分裂）を繰り返して静電霧化が行われる。この静電霧化により粒径が３〜数十ｎｍ程度のナノメータサイズで強い電荷を持つ帯電微粒子水が発生し、該帯電微粒子水は放電電極１６の先端側に位置する対向電極１７の中央の孔１７ａから外部に放出される。ここで生成される帯電微粒子水は反応性に富む活性種（ヒドロキシラジカル、スーパーオキサイド等の脱臭・除菌の源となる物質）を有し、この活性種の働きで臭気成分を除去でき、またウイルス、アレルゲン、カビや一般生菌等を不活化でき、また粒子径がナノメータサイズと非常に小さいため拡散しやすく、また浸透もしやすいものである。
【００３６】
図２に示すようにファンヒータの筐体１の内部には通気路９に隣接する霧化装置収納部３４を形成してあり、霧化装置収納部３４内には静電霧化装置１４の霧化ブロック１８を収納している。霧化装置収納部３４内の空間と通気路９内の空間を隔てる隔壁３５は風洞部２の前壁部２ａで構成してあり、該隔壁３５の上下方向の中央部には供給口３６を設けている。霧化ブロック１８の放電電極１６の先端及び対向電極１７の孔１７ａは供給口３６を介して通気路９内に臨み、霧化ブロック１８で生成された帯電微粒子水は通気路９内に供給されるようになっている。即ち本例では霧化ブロック１８及び供給口３６で供給手段１５を構成している。
【００３７】
また前記隔壁３５の一端部（上端部）及び他端部（下端部）には通気路９に連通する空気流入口３７及び空気流出口３８を設けてあり、空気流入口３７は通気路９の排気口１３に対応する位置又は排気口１３よりも下流側の位置で開口し、また空気流出口３８は通気路９の空気流入口３７よりも下流側の位置で開口している。このためファン１０の運転時には通気路９を流れる空気の一部が空気流入口３７から霧化装置収納部３４内に流入した後、空気流出口３８から通気路９内に戻り、該霧化装置収納部３４内の空間が通気路９のバイパスとして機能する。このように霧化ブロック１８を収納した霧化装置収納部３４内に通気路９からの空気を通過させることで、霧化装置収納部３４内を流れる空気を霧化ブロック１８の放熱部３０の近傍に通過させて放熱部３０を冷却でき、ペルチェユニット２１による結露水の生成量を増加させ、静電霧化装置１４による静電霧化を安定して生じさせることができる。
【００３８】
上記ファンヒータを利用して暖房を行うには、使用者が筐体１の外面等に設けた動作開始／停止スイッチからなる操作部４０を操作して図５に示すように制御部３９に暖房開始の指令をする。制御部３９は暖房開始指令の信号を受けると、まずファン１０の運転を開始し、これと同時又は直後にペルチェ冷却制御回路２７によりペルチェユニット２１の熱電素子２５に通電すると共に高電圧印加部１９により放電電極１６と対向電極１７に高電圧を印加して静電霧化装置１４の動作を開始する。これにより静電霧化装置１４の霧化ブロック１８においては静電霧化が生じ、放電電極１６で生じた帯電微粒子水は供給口３６から通気路９内に供給され、また該帯電微粒子水はファン１０で生じた風に乗って温風吹出口４から室内に吹き出される。
【００３９】
この後、制御部３９は前記静電霧化装置１４の動作の開始（即ち熱電素子への通電及び放電電極１６及び対向電極１７間への電圧印加）から所定時間後に燃料燃焼部１２による燃料燃焼を開始して暖房運転を開始する。このように燃料燃焼部１２及びファン１０を同時に動作させると、燃焼塔８内で発生した燃焼ガスは排気口１３から通気路９に供給され、ここでファン１０により外気吸込口３から通気路９内に吸い込まれた空気と混合され、この後、温風吹出口４を介して温風として吹き出される。またこの暖房運転時においても静電霧化装置１４の霧化ブロック１８においては静電霧化が生じているので、放電電極１６で生じた帯電微粒子水は供給口３６から通気路９内に供給され、ファン１０で生じた風と共に帯電微粒子水が温風吹出口４から室内に吹き出される。
【００４０】
上記暖房運転を停止するには使用者が動作開始／停止スイッチからなる操作部４０を操作して図５に示すように制御部３９に暖房停止の指令をする。制御部３９は暖房停止指令の信号を受けると、燃料燃焼部１２での燃料燃焼を終了し、この所定時間後（好ましくは５分〜１０分後）にペルチェ冷却制御回路２７によるペルチェユニット２１の熱電素子２５への通電を停止すると共に高電圧印加部１９による放電電極１６と対向電極１７間への電圧印加を停止して、静電霧化装置１４の動作を終了し、該静電霧化装置１４の動作の終了と同時又は直後にファン１０を停止する。
【００４１】
上記のように本例のファンヒータは、上記暖房運転時や暖房運転の前後における静電霧化装置１４の動作時において、静電霧化装置１４で生成した帯電微粒子水を供給手段１５により通気路９に供給することができる。従ってこの暖房運転時及び暖房運転の前後における静電霧化装置１４の動作時においては、ファン１０により通気路９内を流れる空気に乗せて温風吹出口４から帯電微粒子水を室内に吹き出し、該帯電微粒子水を室内に広く行き渡らせることができ、この帯電微粒子水により室内の生活臭の脱臭を行い、ウイルス、アレルゲン、カビや一般生菌等を不活化でき、また温風吹出口４から室内に吹き出される空気に含まれた燃料や燃料の不完全燃焼によって生じる臭いも除去できる。しかも燃料や燃料の不完全燃焼によって生じる臭いは通気路９内に供給した帯電微粒子水により臭いの発生元となる燃料燃焼部１２（燃焼塔８）に近い位置で効果的に除去できる。
【００４２】
また本例では放電電極１６に水を供給する水供給手段をペルチェユニット２１で構成してあるので、帯電微粒子水の基となる水を補充する必要がなく手間が省ける。また静電霧化装置１４の動作時には暖房運転時や暖房運転の前後のいずれにおいても、霧化ブロック１８の放熱部３０をファン１０により霧化装置収納部３４内に流入させた空気によって冷却できる。このため静電霧化装置１４の動作時にはペルチェユニット２１により放電電極１６を確実に冷却でき、帯電微粒子水の基となる結露水を確実に生成できる。なお蒸気暖房運転時においては空気流入口３７から霧化装置収納部３４内に流入する空気は排気口１３から出た燃焼ガスと混合した後のものでって温度は高いが、ペルチェユニット２１による結露水生成時の放熱部３０の温度よりも低く、即ち暖房運転時においても放熱部３０は充分に冷却されるものである。
【００４３】
なお、本例では暖房運転時及び暖房運転の前後において静電霧化装置１４による帯電微粒子水の生成及び該生成した帯電微粒子水の供給手段１５による供給を行うようにしたが、暖房運転時のみ、暖房運転の前のみ、暖房運転の後にのみ、加えて暖房運転時及び暖房運転の前、暖房運転時及び暖房運転の後、暖房運転の前後に、静電霧化装置１４による帯電微粒子水の生成及び該生成した帯電微粒子水の供給手段１５による供給を行うようにしても良い。
【００４４】
図６及び図７に本発明のファンヒータの他例を示す。なお以下の説明では上記一例と同一の構成については同一の番号を付与し、重複する説明は省略する。
【００４５】
本例の通気路９はファン１０よりも下流側で主流路４１とバイパス路４２に分岐している。主流路４１は図１の一例における通気路９のファン１０よりも下流側で且つ排気口１３よりも上流側の位置よりも下流側の部分で構成される。即ち主流路４１には排気口１３を設けてあり、該排気口１３を介して燃料燃焼部１２で発生した燃焼ガスが供給されるようになっている。バイパス路４２は筐体１の天面部１ｂ及び前面部１ａと天面部１ｂ及び前面部１ａの夫々に対向する風洞部２の天壁部２ｂ及び前壁部２ａとで形成される。バイパス路４２の上流端となる一端は風洞部２の天壁部２ｂから開口し、風洞部２に連通している。またバイパス路４２の下流端となる他端は風洞部２の前壁部２ａから開口し、主流路４１における排気口１３よりも下流側に連通接続されている。
【００４６】
上記筐体１内に形成されたバイパス路４２には静電霧化装置１４の霧化ブロック１８を設けてあり、放電電極１６の放電部１６ｂはバイパス路４２に配置されている。放電電極１６の放電部１６ｂで生成された帯電微粒子水は電圧印加により放電電極１６及び対向電極１７間に形成される電界の作用を受けて対向電極１７の孔１７ａからバイパス路４２に供給されるようになっている。即ち本例では霧化ブロック１８で静電霧化装置１４によって生成した帯電微粒子水を通気路９に供給する供給手段１５を構成している。
【００４７】
しかして本例のファンヒータにあっては、通気路９をファン１０よりも下流側で主流路４１とバイパス路４２に分岐し、主流路４１に燃料燃焼部１２で発生した燃焼ガスを供給すると共に主流路４１の燃焼ガスが供給される部分よりも下流側にバイパス路４２の下流端を接続したので、ファン１０の運転時には外気吸込口３から通気路９内に流入した空気は主流路４１とバイパス路４２に分かれる。このうち主流路４１に流れた空気には排気口１３から排出された燃焼ガスと混合され、またバイパス路４２に流れた空気は霧化ブロック１８の近傍を通過した後に主流路４１に戻って前記燃焼ガスと混合された空気に合流し、この後、温風吹出口４から吹き出される。
【００４８】
ここでバイパス路４２には放電電極１６の放電部１６ｂを配設してあるので、暖房運転時においては、放電電極１６の放電部１６ｂの近傍に燃焼ガスによって加熱されていない温度の低い空気を通過させることができ、放電電極１６の放電部１６ｂに保持された水や放電部１６ｂで生じた帯電微粒子水が蒸発し難くなり、静電霧化装置１４により帯電微粒子水を効率良く生成できる。また本例のバイパス路４２にはペルチェユニット２１の放熱部３０を配設しているので、放熱部３０の近傍に燃焼ガスによって加熱されていない温度の低い空気を通過させることができ、ペルチェユニット２１の放熱部３０を効率良く冷却してペルチェユニット２１による結露水の生成量を増加させることができる。
【００４９】
図８及び図９に本発明のファンヒータの更に他例を示す。なお以下の説明では上記一例と同一の構成については同一の番号を付与し、重複する説明は省略する。
【００５０】
本例のファンヒータは一例の供給手段１５に替えて静電霧化装置１４で生成した帯電微粒子水を筐体１の外部に供給する供給手段１５を備えている。
【００５１】
ファンヒータの筐体１内には分岐路４３を形成してあり、分岐路４３は筐体１の天面部１ｂ及び前面部１ａと天面部１ｂ及び前面部１ａの夫々に対向する風洞部２の天壁部２ｂ及び前壁部２ａとで構成される。分岐路４３の一端は風洞部２の天壁部２ｂから開口し、通気路９のファン１０よりも下流側で且つ排気口１３よりも上流側の位置に連通している。また分岐路４３の他端は筐体１の前面部１ａから開口して供給口４４を構成し、該供給口４４は筐体１の前面部１ａに設けた温風吹出口４の直上に位置し、温風吹出口４と隣接している。
【００５２】
上記通気路９から分岐した分岐路４３の下流側端部には静電霧化装置１４の霧化ブロック１８を設けてあり、該霧化ブロック１８の放電電極１６の先端及び対向電極１７の孔１７ａは供給口４４を介して筐体１の外部前方に臨み、霧化ブロック１８で生成された帯電微粒子水は供給口４４から筐体１の外部に吐出され、通気路９を介して温風吹出口４から吹き出される空気に混合されるようになっている。即ち本例では霧化ブロック１８及び分岐路４３の供給口４４で供給手段１５を構成している。
【００５３】
即ち本例のファンヒータにあっては、通気路９のファン１０よりも下流側で且つ排気口１３よりも上流側の位置から分岐した分岐路４３を設け、分岐路４３の下流端である供給口４４を筐体１の外部に向けて開口してあるので、ファン１０の運転時には、外気吸込口３から通気路９内に流入した空気は通気路９と分岐路４３に分かれ、通気路９に流れた空気には排気口１３から排出された燃焼ガスと混合され、また分岐路４３に流れた空気は霧化ブロック１８の近傍を通過した後に供給口４４から吐出される。
【００５４】
そして上記暖房運転時や暖房運転の前後の静電霧化装置１４の動作時には、供給手段１５により静電霧化装置１４で生成した帯電微粒子水を筐体１の外部に供給して室内に広く行き渡らせることができ、この帯電微粒子水により室内の生活臭の脱臭を行い、ウイルス、アレルゲン、カビや一般生菌等を不活化できる。またこの場合、温風吹出口４から室内に吹き出される空気に含まれた燃料の臭いや燃料を不完全燃焼することによって生じる臭いを除去できる。また暖房運転時及び暖房運転の前後においては供給口４４から吐出した帯電微粒子水を温風吹出口４から吹き出される空気に供給し、この空気に含まれる燃料の臭い等を効果的に除去できる。
【００５５】
また本例では霧化ブロック１８を分岐路４３に設けて放電電極１６の放電部１６ｂを分岐路４３に配設しているので、暖房運転時の静電霧化装置１４の動作時においては、放電電極１６の放電部１６ｂの近傍に燃焼ガスによって加熱されていない温度の低い空気を通過させることができ、放電電極１６の放電部１６ｂに保持された水や放電部１６ｂで生じた帯電微粒子水が蒸発し難くなり、帯電微粒子水を効率良く生成できる。また本例の分岐路４３にはペルチェユニット２１の放熱部３０を配設しているので、放熱部３０の近傍に燃焼ガスによって加熱されていない温度の低い空気を通過させることができ、ペルチェユニット２１の放熱部３０を効率良く冷却してペルチェユニット２１による結露水の生成量を増加させ、霧化量を増加することができる。
【００５６】
なお図８及び図９の例では帯電微粒子水を吐出する供給口４４を温風吹出口４の開口方向と同じ前方に開口したが、図１０に示すように温風吹出口４の前方部に向けて下方に開口させ、供給口４４から吐出した帯電微粒子水を温風吹出口４から吹き出される空気に供給させるようにしても良い。
【００５７】
図１１及び図１２に本発明のファンヒータの更に他例を示す。なお以下の説明では上記一例と同一の構成については同一の番号を付与し、重複する説明は省略する。
【００５８】
本例のファンヒータには静電霧化装置１４で生成した帯電微粒子水を通気路９に吐出するための通気路側供給口４５と筐体１の外部に吐出するための外部側供給口４６を備え、また暖房運転時（即ち燃料燃焼部１２による燃料燃焼時）には静電霧化装置１４で発生させた帯電微粒子水を外部側供給口４６を介して筐体１の外部に吐出すると共に、暖房運転の前後における静電霧化装置１４の動作時（即ち燃料燃焼部１２の非燃焼時）には静電霧化装置１４で発生させた帯電微粒子水を通気路側供給口４５を介して通気路９に吐出する供給手段１５を設けている。
【００５９】
詳述すると、本例の筐体１内には上記図８に示す例と同様に分岐路４３を形成してあり、分岐路４３は筐体１の天面部１ｂ及び前面部１ａと天面部１ｂ及び前面部１ａの夫々に対向する風洞部２の天壁部２ｂ及び前壁部２ａとで構成される。分岐路４３の一端は風洞部２の天壁部２ｂから開口し、通気路９のファン１０よりも下流側で且つ排気口１３よりも上流側の位置に連通している。また分岐路４３の他端は筐体１の前面部１ａから開口して外部側供給口４６を構成している。外部側供給口４６は筐体１の前面部１ａに設けた温風吹出口４の直上に位置し、温風吹出口４と隣接している。
【００６０】
分岐路４３の外部側供給口４６よりもやや上流側の位置（風洞部２の前壁部２ａ）には通気路９の排気口１３よりも下流側で且つ温風吹出口４よりも上流側に位置に連通する通気路側供給口４５を形成してあり、分岐路４３は通気路側供給口４５を介して通気路９に通じる経路と、外部側供給口４６を介して筐体１の外部へ流れる経路とに分岐している。
【００６１】
分岐路４３の通気路側供給口４５よりも上流側には静電霧化装置１４の霧化ブロック１８を設けている。霧化ブロック１８の放電電極１６の先端及び対向電極１７の孔１７ａは下方を向き、この方向はファン１０によって分岐路４３を流れる空気の流れ方向と同一の方向である。
【００６２】
分岐路４３において霧化ブロック１８の下流側で且つ霧化ブロック１８からの帯電微粒子水の放出方向となる下方には流路を切替える手段として回動自在の羽根４７を設けてあり、制御部３９は羽根４７の回動角度を変更することで分岐路４３内を流れてきた空気及び霧化ブロック１８から放出された帯電微粒子水を通気路側供給口４５側又は外部側供給口４６側のいずれか一方に切替えて供給できるようになっている。
【００６３】
上記霧化ブロック１８で生成された帯電微粒子水は放電電極１６の放電部１６ｂから下方に放出され、この帯電微粒子水は羽根４７により分岐路４３の経路を通気路側供給口４５側に切替えた状態では通気路側供給口４５を介して通気路９に供給され、また羽根４７により分岐路４３の経路を外部側供給口４６側に切替えた状態では外部側供給口４６を介して筐体１の外部に吐出され、温風吹出口４から吹き出される空気と混合される。
【００６４】
そして制御部３９は羽根４７の回動を制御することで、燃料燃焼部１２による燃料燃焼時（即ち上記暖房運転時）には静電霧化装置１４で生じた帯電微粒子水を外部側供給口４６を介して筐体１の外部に供給し、また燃料燃焼部１２の非燃焼時（上記暖房運転の前後）には静電霧化装置１４で生じた帯電微粒子水を通気路側供給口４５を介して通気路９に供給するように設定してある。即ち本例では霧化ブロック１８、羽根４７、制御部３９により供給手段１５を構成している。
【００６５】
しかして本例のファンヒータでは上記暖房運転時における静電霧化装置１４の動作時には、供給手段１５により静電霧化装置１４で生成した帯電微粒子水を外部側供給口４６を介して筐体１の外部に吐出して室内に広く行き渡らせることができ、この帯電微粒子水により室内の生活臭の脱臭を行い、ウイルス、アレルゲン、カビや一般生菌等を不活化できる。またこの場合、温風吹出口４から室内に吹き出される空気に含まれた燃料の臭いや燃料を不完全燃焼することによって生じる臭いを除去できる。また外部側供給口４６から吐出した帯電微粒子水を温風吹出口４から吹き出される空気に供給し、この空気に含まれる燃料の臭い等を効果的に除去できる。
【００６６】
また暖房運転の前後における静電霧化装置１４の動作時には供給手段１５により静電霧化装置１４で生成した帯電微粒子水を通気路側供給口４５を介して通気路９に吐出できる。従ってこの暖房運転の前後においては、ファン１０により通気路９内を流れる空気に乗せて温風吹出口４から帯電微粒子水を室内に吹き出し、該帯電微粒子水を室内に広く行き渡らせることができ、この帯電微粒子水により室内の生活臭の脱臭を行い、ウイルス、アレルゲン、カビや一般生菌等を不活化できる。また温風吹出口４から室内に吹き出される空気に含まれた燃料や燃料を不完全燃焼することによって生じる臭いも除去できる。さらには通気路９内に帯電微粒子水を供給できるので、燃料燃焼部１２で燃料を不完全燃焼することによって生じる臭いや、燃料自体から発する臭いを発生元となる燃料燃焼部１２（燃焼塔８）に近い位置で効果的に除去できる。
【００６７】
また本例では放電電極１６の放電部１６ｂを分岐路４３に配設したので、静電霧化装置１４で静電霧化を生じさせる場合、放電電極１６の放電部１６ｂの近傍に燃焼ガスによって加熱されていない温度の低い空気を通過させることができ、放電電極１６の放電部１６ｂに保持された水や放電部１６ｂで生じた帯電微粒子水が蒸発し難くなり、静電霧化装置１４により帯電微粒子水を効率良く生成できる。
【００６８】
なお上記各例では制御部３９により図５に示すように制御したが、制御部３９により図１３や、図１４、図１６に示すように制御しても良い。
【００６９】
図１３の例では、暖房運転後（即ち燃料燃焼部１２の燃料燃焼の終了から所定時間が経過するまでの間）における静電霧化装置１４の動作時の単位時間当たりの霧化量を暖房運転時（即ち燃料燃焼部１２による燃料燃焼時）よりも増加させるようにしてある。このように制御することで、静電霧化装置１４で生じた帯電微粒子水により燃料燃焼部１２の燃料燃焼の終了から所定時間が経過するまでの間に不完全燃焼によって生じる臭いをより効率良く除去できる。なお上記図１３や、以下の図１４、図１６の各例における静電霧化装置１４で発生させる単位時間当たりの霧化量の調節は、高電圧印加部１９によって放電電極１６及び対向電極１７間への印加電圧値を調節することや、放電電極１６からの放電電流が増加するようにペルチェ冷却制御回路２７による熱電素子２５への通電量を変更して冷却割合を変更することで行われる。
【００７０】
また図１４に示す例のファンヒータは図１５に示すようにファンヒータの外部（室内）の湿度を検知するための湿度検知手段として湿度センサ４８を設けてあり、制御部３９は暖房運転時において湿度センサ４８によりファンヒータの外部の湿度を定期的に検知する。そしてここで検知した湿度が所定値（図示例では湿度４０％）以上である場合には静電霧化装置１４の動作時の単位時間当たりの霧化量を所定の値とし、また前記湿度センサ４８で検知した湿度が前記所定値未満でない場合には静電霧化装置１４の動作時の単位時間当たりの霧化量を前記湿度が所定値以上である場合よりも増加させ２倍程度とする。
【００７１】
このように湿度検知手段で検知した湿度に基づいて静電霧化装置１４の動作時における単位時間当たりの霧化量を調節することで、検知した室内の湿度が低くウイルスが活動しやすい場合には静電霧化装置１４の単位時間当たりの霧化量を増加させてインフルエンザや風邪などの感染を効率良く防ぐことができ、本発明のように冬場で利用されるファンヒータにとっては特に有効である。
【００７２】
また図１６に示すファンヒータは図１７に示すようにファンヒータの外部（室内）の温度を検知するための温度検知手段として温度センサ４９を設けてあり、また筐体１の外面等に設けたスイッチからなる目標温度設定部５０を備えている。制御部３９は暖房運転時において温度センサ４９で定期的に室内の温度を検知し、この検知した温度と目標温度設定部５０により設定した温度を比較し、温度センサ４９で検知した温度が目標温度設定部５０により設定した温度よりも低い場合には、燃料燃焼部１２による燃焼割合（燃料の単位時間当たりの燃焼量）及びファン１０により発生させる単位時間当たりの送風量を増加し、また温度センサ４９で検知した温度が目標温度設定部５０により設定した温度よりも高い場合には燃料燃焼部１２による燃焼割合及びファン１０により発生させる単位時間当たりの送風量を減少するように設定してある。
【００７３】
そしてこの暖房運転時における静電霧化装置１４の動作時には図１６のようにファン１０により発生させる単位時間当たりの風量が所定値以下であるか否かを定期的に判定し、所定値以下である場合は静電霧化装置１４の動作時の単位時間当たりの霧化量を所定の値とし、また所定値を超える場合は静電霧化装置１４の動作時の単位時間当たりの霧化量を前記風量が所定値以上である場合よりも増加させる。
【００７４】
このようにファン１０による単位時間当たりの送風量を可変とし、静電霧化装置１４の動作時における単位時間当たりの霧化量をファン１０の単位時間当たりの送風量に基づいて調節することで、ファン１０の単位時間当たりの送風量が大きく室内の隅々にまで帯電微粒子水を拡散させることが可能な時に静電霧化装置１４の単位時間当たりの霧化量を増加させることができ、静電霧化装置１４で生じた帯電微粒子水を効率良く利用できる。
【００７５】
なお上記実施形態の各例ではファンヒータを石油ファンヒータとしたが、燃焼燃料として燃料ガスを用いるガスファンヒータであっても良い。また静電霧化装置１４の水供給手段はペルチェユニット２１で構成したが、例えば水供給手段をタンク等の水貯留部から搬送経路を介して放電電極１６に水を搬送するものとしても良い。
【図面の簡単な説明】
【００７６】
【図１】本発明の実施の形態の一例のファンヒータを示す側断面図である。
【図２】同上の要部拡大図である。
【図３】同上の静電霧化装置を概念的に示した断面図である。
【図４】同上のブロック図である。
【図５】同上のフローチャートである。
【図６】他例のファンヒータを示す側断面図である。
【図７】同上の要部拡大図である。
【図８】更に他例のファンヒータを示す側断面図である。
【図９】同上の要部拡大図である。
【図１０】更に他例のファンヒータを示す要部拡大断面図である。
【図１１】更に他例のファンヒータを示す側断面図である。
【図１２】同上の要部拡大図である。
【図１３】更に他例のファンヒータのフローチャートである。
【図１４】更に他例のファンヒータのフローチャートである。
【図１５】同上のファンヒータのブロック図である。
【図１６】更に他例のファンヒータのフローチャートである。
【図１７】同上のファンヒータのブロック図である。
【符号の説明】
【００７７】
３  外気吸込口
４  温風吹出口
９  通気路
１０  ファン
１２  燃料燃焼部
１４  静電霧化装置
１５  供給手段
１６  放電電極
【図１】
2008185320.tif 000003
【図２】
2008185320.tif 000004
【図３】
2008185320.tif 000005
【図４】
2008185320.tif 000006
【図５】
2008185320.tif 000007
【図６】
2008185320.tif 000008
【図７】
2008185320.tif 000009
【図８】
2008185320.tif 000010
【図９】
2008185320.tif 000011
【図１０】
2008185320.tif 000012
【図１１】
2008185320.tif 000013
【図１２】
2008185320.tif 000014
【図１３】
2008185320.tif 000015
【図１４】
2008185320.tif 000016
【図１５】
2008185320.tif 000017
【図１６】
2008185320.tif 000018
【図１７】
2008185320.tif 000019